【手続補正書】
【提出日】平成28年1月27日(2016.1.27)
【手続補正１】
【補正対象書類名】特許請求の範囲
【補正対象項目名】全文
【補正方法】変更
【補正の内容】
【特許請求の範囲】
【請求項１】
クラウドコンピューティングプラットフォーム上でシングルＩＤを確立するための方法であって、
コンピューターに関連付けられたユーザー資格情報を検証するステップと、
前記コンピューターから、シングルＩＤが確立されるべきドメインを示す情報を受信するステップと、
前記ユーザー資格情報を検証するステップに応答して、前記ドメインのユーザーからのサインオンを承認するために、前記クラウドコンピューティングプラットフォーム上でディレクトリサービス内に前記ドメインを示す前記情報を記憶するステップであって、前記ディレクトリサービスは、前記ドメイン内のユーザー又はコンピューターを認証するために使用されるデータ−ベースを含む、ステップと、
ログインに関連付けられた資格情報を前記ディレクトリサービスが承認するという判定に応答して、第２のコンピューターへの前記ログインを許可することを決定するステップと、
前記ログインに関連付けられた前記資格情報を前記ディレクトリサービスが承認したという判定に応答して、前記クラウドコンピューティングプラットフォーム上で提供されるソフトウェアサービスにアクセスするように、前記ログインに関連付けられた前記資格情報を承認するステップと
を含む方法。
【請求項２】
前記ドメインが前記クラウドコンピューティングプラットフォームの外部に位置するディレクトリサービスを有することを判定するステップと、
前記ドメインが前記クラウドコンピューティングプラットフォームの外部に位置するディレクトリサービスを有すると判定することに応答して、前記クラウドコンピューティングプラットフォーム上の前記ディレクトリサービスと、前記クラウドコンピューティングプラットフォームの外部に位置するディレクトリサービスとの間でデータをレプリケートするために、前記クラウドコンピューティングプラットフォーム上で同期サービスを構成するステップと、
仮想プライベートネットワーク（ＶＰＮ）エンドポイントの指示、および前記クラウドコンピューティングプラットフォームの外部に位置するディレクトリサービスにアクセスするための資格情報を受信するステップと、
前記クラウドコンピューティングプラットフォームの外部に位置するディレクトリサービスにアクセスするための前記資格情報を使用して、前記クラウドコンピューティングプラットフォームによって、前記ＶＰＮエンドポイントとのＶＰＮ接続を確立するステップと、
前記同期サービスを使用して、前記クラウドコンピューティングプラットフォーム上の前記ディレクトリサービスと、前記クラウドコンピューティングプラットフォームの外部に位置するディレクトリサービスとの間で資格情報データをレプリケートするステップと
をさらに含む請求項１に記載の方法。
【請求項３】
前記ドメインのユーザーからのサインオンを承認するために、前記クラウドコンピューティングプラットフォーム上で前記ディレクトリサービス内に前記ドメインを示す前記情報を記憶するステップが、
ドメインを示す前記情報を受け取ることに応答して、前記ドメインのユーザーが前記ディレクトリサービスによって認証された後に組織境界にまたがって前記ユーザーを認証するために、前記クラウドコンピューティングプラットフォーム上でフェデレーションサービスを構成するステップ
をさらに含む、請求項１に記載の方法。
【請求項４】
前記ドメインのユーザーからのサインオンを承認するために、前記クラウドコンピューティングプラットフォーム上で前記ディレクトリサービス内に前記ドメインを示す情報を記憶するステップが、
前記ドメインがパブリックドメインであることを判定するステップと、
前記ドメインがパブリックドメインであると判定することに応答して、前記コンピューターにデータを送信するステップと、
前記データが前記ドメインの既知の場所でアクセス可能であることを判定するステップと
を含む、請求項１に記載の方法。
【請求項５】
前記データが前記ドメインの前記既知の場所でアクセス可能であることを判定するステップが、
前記データが前記ドメインのメールエクスチェンジャ（ＭＸ）レコード内に記憶されていることを判定するステップ
を含む、請求項４に記載の方法。
【請求項６】
前記データが前記ドメインの前記既知の場所でアクセス可能であることを判定するステップが、
前記データが前記ドメインのドメインＴＸＴレコード（テキストレコード）内に記憶されていることを判定するステップ
を含む、請求項４に記載の方法。
【請求項７】
前記ドメインのユーザーからのサインオンを承認するために、前記クラウドコンピューティングプラットフォーム上で前記ディレクトリサービス内に前記ドメインを示す情報を記憶するステップが、
前記ドメインがプライベートドメインであると判定することに応答して、前記ドメインの制御が証明される必要がないことを判定するステップ
を含む、請求項１に記載の方法。
【請求項８】
クラウドコンピューティングプラットフォーム上でシングルＩＤを確立するためのシステムであって、
コンピューターに関連付けられたユーザー資格情報を検証するように構成されるモジュールと、
前記コンピューターから、シングルＩＤが確立されるべきドメインを示す情報を受信するように構成されるモジュールと、
前記ユーザー資格情報を検証することに応答して、前記ドメインのユーザーからのサインオンを承認するために、前記クラウドコンピューティングプラットフォーム上でディレクトリサービス内に前記ドメインを示す前記情報を記憶するように構成されるモジュールであって、前記ディレクトリサービスは、前記ドメイン内のユーザー又はコンピューターを認証するために使用されるデータ−ベースを含む、モジュールと、
ログインに関連付けられた資格情報を前記ディレクトリサービスが承認するという判定に応答して、第２のコンピューターへの前記ログインを許可することを決定するように構成されるモジュールと、
前記ログインに関連付けられた前記資格情報を前記ディレクトリサービスが承認したという判定に応答して、前記クラウドコンピューティングプラットフォーム上で提供されるソフトウェアサービスにアクセスするように、前記ログインに関連付けられた前記資格情報を承認するように構成されるモジュールと、
を備える、システム。
【請求項９】
前記ドメインが前記クラウドコンピューティングプラットフォームの外部に位置するディレクトリサービスを有することを判定するように構成されるモジュールと、
前記ドメインが前記クラウドコンピューティングプラットフォームの外部に位置するディレクトリサービスを有すると判定することに応答して、前記クラウドコンピューティングプラットフォーム上の前記ディレクトリサービスと、前記クラウドコンピューティングプラットフォームの外部に位置するディレクトリサービスとの間でデータをレプリケートするために、前記クラウドコンピューティングプラットフォーム上で同期サービスを構成するように構成されるモジュールと、
仮想プライベートネットワーク（ＶＰＮ）エンドポイントの指示、および前記クラウドコンピューティングプラットフォームの外部に位置するディレクトリサービスにアクセスするための資格情報を受信するように構成されるモジュールと、
前記クラウドコンピューティングプラットフォームの外部に位置するディレクトリサービスにアクセスするための前記資格情報を使用して、前記クラウドコンピューティングプラットフォームによって、前記ＶＰＮエンドポイントとのＶＰＮ接続を確立するように構成されるモジュールと、
前記同期サービスを使用して、前記クラウドコンピューティングプラットフォーム上の前記ディレクトリサービスと、前記クラウドコンピューティングプラットフォームの外部に位置するディレクトリサービスとの間で資格情報データをレプリケートするように構成されるモジュールと
をさらに備える、請求項８に記載のシステム。
【請求項１０】
ドメインを示す前記情報を受け取ることに応答して、前記ドメインのユーザーが前記ディレクトリサービスによって認証された後に組織境界にまたがって前記ユーザーを認証するために、前記クラウドコンピューティングプラットフォーム上でフェデレーションサービスを構成するように構成されるモジュールをさらに備える、請求項８に記載のシステム。
【請求項１１】
前記ドメインがパブリックドメインであることを判定するように構成されるモジュールと、
前記ドメインがパブリックドメインであると判定することに応答して、前記コンピューターにデータを送信するように構成されるモジュールと、
前記データが前記ドメインの既知の場所でアクセス可能であることを判定するように構成されるモジュールと
を備える、請求項８に記載のシステム。
【請求項１２】
前記データが前記ドメインの既知の場所でアクセス可能であることを判定するように構成される前記モジュールは、
前記データが前記ドメインのメールエクスチェンジャ（ＭＸ）レコード内に記憶されていることを判定する
ようにさらに構成される、請求項１１に記載のシステム。
【請求項１３】
前記データが前記ドメインの既知の場所でアクセス可能であることを判定するように構成される前記モジュールは、
前記データが前記ドメインのドメインＴＸＴレコード（テキストレコード）内に記憶されていることを判定する
ようにさらに構成される、請求項１１に記載のシステム。
【請求項１４】
前記ドメインがプライベートドメインであると判定することに応答して、前記ドメインの制御が証明される必要がないことを判定するステップ
を含む、請求項８に記載のシステム。